(57)【特許請求の範囲】
【請求項１】
吸気口と吐出口を接続する風路に、吸気口から空気を吸い込んで吐出口から吐出するファンと、集塵フィルタを設け、集塵フィルタよりも下流側に静電霧化装置を設け、該静電霧化装置は、周囲の空気を冷却して結露水を生成する吸熱部と放熱部を具備するペルチェユニットと、電圧を印加することで前記ペルチェユニットで生成された結露水を霧化する霧化部を備え、放熱部の上流側の対向位置に前記ファンにより放熱部に送られる風が通過し且つこの風の流れの抵抗となる抵抗体を設けて成ることを特徴とする空気調和機。
【請求項２】
上記抵抗体を複数のスリットを形成した板状部で構成して成ることを特徴とする請求項１に記載の空気調和機。
【請求項３】
上記放熱部を平行なフィン部を複数枚備えた放熱フィンとし、各スリットの開口方向及びフィン部をファンにより放熱部側に送られる空気の流れ方向と略平行として成ることを特徴とする請求項２に記載の空気調和機。
【請求項４】
上記各スリットの長手方向をフィン部と平行とし、各スリットを隣合うフィン部間の空間に対向する位置に設けて成ることを特徴とする請求項３に記載の空気調和機。
【請求項５】
上記放熱フィンを吐出口に対向する位置に配設し、該吐出口の放熱フィンに対向する部分をフィン部に直交する方向に並ぶ複数の開口部で構成し、これら複数の開口部を隣合うフィン部間の空間に対向する位置に配設して成ることを特徴とする請求項３又は請求項４に記載の空気調和機。
【請求項６】
上記吐出口を主吐出口と副吐出口で構成し、風路のファンよりも下流側を主吐出口に連通する主流路と副吐出口に連通する副流路に分岐し、主吐出口から吐出される風量を副吐出口から吐出される風量よりも多くなるように設定し、主流路に放熱部を配設すると共に霧化部を副流路に配設して成ることを特徴とする請求項１〜５のいずれかに記載の空気調和機。
【請求項７】
上記抵抗体を空気調和機に着脱自在に設けて成ることを特徴とする請求項１〜６のいずれかに記載の空気調和機。
【発明の詳細な説明】
【技術分野】
【０００１】
本発明は静電霧化装置を備えた空気調和機に関する。
【背景技術】
【０００２】
空気調和機には吸気口と吐出口を接続する風路にファンと空気調和用フィルタとしての集塵フィルタを設けたものがあり、この種の空気調和機には例えば特許文献１に示すように静電霧化装置を設けたものがある。静電霧化装置は、水溜め部と霧化部と霧化部に対向する対向電極を備え、霧化部及び対向電極間に高電圧を印加することで水溜め部から霧化部に供給された水を霧化部において静電霧化して粒子径がナノメートルサイズの静電ミストを発生させるものであり、この静電霧化装置を風路に配設することで、静電霧化装置で発生した静電ミストをファンによる送風に載せて空気調和機外部の室内に飛散し、これにより静電ミストが有する活性種の働きにより、室内空気中の臭気成分の脱臭や室内壁面等に付着した臭気成分の脱臭を行ったり、室内の除菌を効果的に行えるようになっている。またこの特許文献１にあっては霧化部を集塵フィルタよりも下流側に設けているので、霧化部付近を通過する空気は集塵フィルタでろ過された清浄化された空気となり、これにより霧化部が汚れて静電霧化が生じ難くなることを防止でき、また生成した静電ミストは集塵フィルタで浄化された空気に乗って飛散するので、活性種による脱臭効果がファンからの汚れた空気により消滅することを防止でき、これにより室内空気中の臭気成分や室内壁面等に付着した臭気成分の脱臭を一層効果的に行えるようになっている。
【０００３】
しかし上記特許文献１にあっては水溜め部の水を霧化部に供給して静電霧化を生じさせているので、水溜め部内の水がなくなった場合には使用者がその都度水溜め部に水を補充する必要があり非常に面倒である。
【０００４】
そこで本発明者等は本発明に至る前に上記静電霧化装置に周囲の空気を冷却して結露水を生成する吸熱部と放熱部を具備するペルチェユニットを設け、該ペルチェユニットで生成した結露水を霧化部に供給し、これによりペルチェユニットで自動的に生成された結露水を静電ミストの基となる水として利用することを想起した。このものでは静電ミストの基となる水を使用者が補充する必要がなく、またペルチェユニットは風路に配設されるので放熱部をファンからの送風により効率良く冷却できて放熱部の放熱効率を向上できる。
【０００５】
しかし静電霧化装置にペルチェユニットを設けた場合、集塵フィルタの性能が低下した際に集塵フィルタで捕集しきれなかった空気中に含まれる埃や粉塵が放熱部に堆積し、放熱部の放熱効率を低下させたり、また堆積した埃や粉塵が発熱して発煙や発火が生じる恐れがある。
【特許文献１】特開２００４−８５１８５号公報
【発明の開示】
【発明が解決しようとする課題】
【０００６】
本発明は上記従来の問題点に鑑みて発明したものであって、静電霧化装置で使用される水を使用者が補充する必要がなく、放熱部をファンによる送風で効率良く冷却して放熱効率を向上でき、しかも集塵フィルタの性能が低下した時に放熱部に埃や粉塵が堆積することを防止できて、この埃や粉塵の堆積に伴う放熱部の放熱効果の低下や放熱部における発煙や発火を防止できる空気調和機を提供することを課題とするものである。
【課題を解決するための手段】
【０００７】
上記課題を解決するために本発明に係る空気調和機は、吸気口２と吐出口３を接続する風路４に、吸気口２から空気を吸い込んで吐出口３から吐出するファン５と、集塵フィルタ７を設け、集塵フィルタ７よりも下流側に静電霧化装置１０を設け、該静電霧化装置１０は、周囲の空気を冷却して結露水を生成する吸熱部１９と放熱部２０を具備するペルチェユニット１７と、電圧を印加することで前記ペルチェユニット１７で生成された結露水を霧化する霧化部１１ａを備え、放熱部２０の上流側の対向位置に前記ファンにより放熱部に送られる風が通過し且つこの風の流れの抵抗となる抵抗体２６を設けて成ることを特徴とするものである。この構成により、ペルチェユニット１７で自動的に生成された結露水を霧化部１１ａで生成される静電ミストの基となる水として利用でき、静電霧化装置１０で使用される水を使用者が補充する手間を省ける。また放熱部２０の上流側の対向位置に風の流れの抵抗となる抵抗体２６を設けているので、集塵フィルタ７の性能が低下してファン５により放熱部２０側に送られた空気に埃や粉塵が含まれていたとしても、この埃や粉塵を抵抗体２６によりせき止めて放熱部２０側に流れることを防止でき、これにより放熱部２０に埃や粉塵が堆積することを防止できる。さらにファン５による送風は抵抗体２６を通過できるので、ファン５による送風で放熱部２０を効率良く冷却できて放熱効率を向上できる。
【０００８】
また上記抵抗体２６を複数のスリット２７を形成した板状部２８で構成することも好ましい。ファン５により放熱部２０側に送られた埃や粉塵を含む空気のうち、空気をスリット２７から放熱部２０側に通過させると共に埃や粉塵を板状部２８のスリット２７を形成していない部位でせき止めることができ、この場合、ファン５により放熱部２０側に送られた空気をスリット２７を通過させて放熱部２０に直接当てることができて放熱フィン２２を一層冷却できる。
【０００９】
また上記放熱部２０を平行なフィン部２２ａを複数枚備えた放熱フィン２２とし、各スリット２７の開口方向及びフィン部２２ａをファン５により放熱部２０側に送られる空気の流れ方向と略平行とすることも好ましい。この場合、ファン５により放熱部２０に送られた空気をフィン部２２ａの面全体に接触させることができ、放熱フィン２２を一層冷却できる。
【００１０】
また上記各スリット２７の長手方向をフィン部２２ａと平行とし、各スリット２７を隣合うフィン部２２ａ間の空間３３に対向する位置に設けることも好ましい。この場合、ファン５により放熱部２０側に送られた空気は各スリット２７を通過した後フィン部２２ａ間の空間３３にスムーズに流れることとなり、放熱フィン２２を一層冷却できる。
【００１１】
また上記放熱フィン２２を吐出口３に対向する位置に配設し、該吐出口３の放熱フィン２２に対向する部分をフィン部２２ａに直交する方向に並ぶ複数の開口部３４で構成し、これら複数の開口部３４を隣合うフィン部２２ａ間の空間３３に対向する位置に配設することも好ましい。この場合、ファン５によりフィン部２２ａ間の空間３３に流れ込んだ空気はスムーズに開口部３４を通過することとなり、これにより放熱フィン２２を一層冷却できる。
【００１２】
また上記吐出口３を主吐出口３ａと副吐出口３ｂで構成し、風路４のファン５よりも下流側を主吐出口３ａに連通する主流路４ａと副吐出口３ｂに連通する副流路４ｂに分岐し、主吐出口３ａから吐出される風量を副吐出口３ｂから吐出される風量よりも多くなるように設定し、主流路４ａに放熱部２０を配設すると共に霧化部１１ａを副流路４ｂに配設することも好ましい。この場合、霧化部１１ａは送風量の少ない副流路４ｂに曝されることとなるので、霧化部１１ａにおいて静電霧化を安定して生じさせることができる。また放熱部２０は風量の多い主流路４ａに曝されるので放熱フィン２２をより一層冷却できる。
【００１３】
また上記抵抗体２６を空気調和機に着脱自在に設けることも好ましい。抵抗体２６に埃や粉塵が付着した際には抵抗体２６を取り外して容易に洗浄できる。
【発明の効果】
【００１４】
本発明では、静電ミストの基となる水を使用者が補充する手間が省け、また放熱部をファンの送風で効率良く冷却して放熱効率を向上でき、しかも集塵フィルタの性能が低下した時に放熱部に埃や粉塵が堆積することを防止できて、この埃や粉塵の堆積に伴う放熱部の放熱効果の低下や放熱部における発煙や発火を防止できる。
【発明を実施するための最良の形態】
【００１５】
以下、本発明を添付図面に示す実施形態に基いて説明する。
【００１６】
図１〜１５に示す本実施形態の空気調和機は室内空気を浄化する空気清浄機であって、縦長の本体ケース１の前面を室内に向けて使用する。図１等に示すように本体ケース１の前面は前方にわずかに突出した平面視円弧状に形成され、また後面及び両側面は滑らかに連続して後方に大きく突出した平面視円弧状の面を形成している。本体ケース１の一側面には縦長で格子状の吸気口２を設けてあり、本体ケース１の他側面には縦長で格子状の主吐出口３ａを設けている。また本体ケース１の前面の主吐出口３ａ側の端部には横長スリット状の開口を上下に多数並設してなる主吐出口３ａよりも総開口面積が小さい縦長の副吐出口３ｂを設けてあり、副吐出口３ｂと前述の主吐出口３ａとで清浄化された空気を吐出する吐出口３を構成している。
【００１７】
図７のように本体ケース１の内部には吸気口２と吐出口３を連通接続する風路４を形成している。風路４の途中には回転軸を縦向きとした縦長のクロスフローファン５を設けてあり、風路４におけるファン５よりも下流側は主吐出口３ａに連通する主流路４ａと副吐出口３ｂに連通する副流路４ｂに分岐している。ファン５は回転軸を横切るように空気を吸い込んで吐出するものであり、風路４はファン５を運転した際に室内空気を吸気口２から吸い込んで主吐出口３ａ及び副吐出口３ｂよりなる吐出口３から吐出できる形状に形成されている。ここでファン５を運転した際には主吐出口３ａから吐出される風量は副吐出口３ｂから吐出される風量よりも多くなるように設定してある。
【００１８】
風路４のファン５よりも上流側には脱臭フィルタ６と集塵フィルタ７を上流側から順に設けている。脱臭フィルタ６はハニカムの多数の孔の内面に付着した活性炭により孔を通過する空気の脱臭を行うものであり、多数の孔の開口方向は通気抵抗が小さくなるようにファン５により生じる風の流れ方向と略平行となっている。集塵フィルタ７は集塵電極及びアース電極を備えた電気式集塵フィルタ７であって、集塵電極に電圧を印加することで集塵電極及びアース電極間を通過する空気中に含まれる埃や粉塵を捕集するものである。また吸気口２にはプレフィルタ８を設けてあり、プレフィルタ８により脱臭フィルタ６及び集塵フィルタ７に至る前に大きなごみを捕集できるようになっている。
【００１９】
図１等に示すように本体ケース１内における風路４の下流側端部には本体ケース１の上下方向の中間部に配置された静電霧化装置１０を設けている。静電霧化装置１０は図８や図９に示すように、先端を尖鋭形状に形成した棒状の霧化電極１１と、霧化電極１１の尖鋭形状の先端部からなる霧化部１１ａと対向する対向電極１２と、霧化電極１１及び対向電極１２を保持する保持部材１３を備えている。霧化電極１１は保持部材１３のフランジ部１４の中央に立設した円筒状の筒状部１５内に収納され、また対向電極１２は静電ミストが放出される中央に形成した中央孔１２ａが霧化部１１ａに対向するように筒状部１５の先端開口部に設けられている。ここで霧化部１１ａに水を保持した状態で、電圧印加部１６により霧化電極１１の霧化部１１ａがマイナス電極となって電荷が集中するように霧化電極１１及び対向電極１２間に高電圧を印加すると、霧化部１１ａで保持された水を霧化できるようになっている。即ち霧化電極１１及び対向電極１２間に電圧を印加すると、霧化部１１ａに保持された水が大きなエネルギを受けてレイリー分裂を繰返し、これにより粒子径がナノメートルサイズとなった活性種を有する静電ミストが発生し、この静電ミストが霧化部１１ａに対向する対向電極１２の中央孔１２ａを通過して外部へと放出されるのである。
【００２０】
霧化部１１ａで保持されて霧化されることとなる水は静電霧化装置１０に設けたペルチェユニット１７で生成される。ペルチェユニット１７は霧化電極１１を挟んで対向電極１２の反対側に配設してあり、図示しない熱電素子を備えたユニット本体１８と、ユニット本体１８の霧化電極１１側の面に設けた吸熱部１９と、ユニット本体１８の霧化電極１１とは反対側の面に設けた放熱部２０を有している。吸熱部１９は霧化電極１１の先端とは反対側の端部に接触する熱伝導性の良い絶縁板２１からなる。また放熱部２０はユニット本体１８の霧化電極１１とは反対側の面に接する基板部２３からユニット本体１８とは反対側に向けて平行な多数のフィン部２２ａを突出した放熱フィン２２からなる。フィン部２２ａは水平で且つファン５から送られてくる空気の流れ方向と略平行となっている。また基板部２３の適宜選択されたフィン部２２ａ間の部位には固着具用孔２４ａ、２４ｂを設けてあり、フィン部２２ａは固着具用孔２４ａ、２４ｂに対応するフィン部２２ａ間を除いて一定ピッチＰ１で形成されている。
【００２１】
ペルチェユニット１７はユニット本体１８に設けた熱電素子にリード線（図示せず）を介して通電することで、ユニット本体１８の熱電素子におけるペルチェ効果により吸熱部１９から放熱部２０への熱の移動が生じ、これにより吸熱部１９では吸熱が生じ、同時に放熱部２０では放熱が生じる。この時、吸熱部１９は冷却されて該吸熱部１９に接触して熱的に接続された霧化電極１１が冷却され、これにより霧化電極１１の霧化部１１ａの周囲の空気は冷却されて霧化部１１ａの表面に結露水が付着する。つまりこの霧化部１１ａの表面に付着した結露水が前述の霧化部１１ａで霧化される水となる。
【００２２】
図１のように上記静電霧化装置１０は主流路４ａ及び副流路４ｂに跨って配設されており、ペルチェユニット１７の放熱部２０は主流路４ａにおける主吐出口３ａに対向し、対向電極１２及び霧化部１１ａは副流路４ｂにおける副吐出口３ｂに対向している。なお静電霧化装置１０の放熱部２０を設けた主流路４ａ側と対向電極１２及び霧化部１１ａを設けた副流路４ｂ側とは連通しないように封止されているものとする。
【００２３】
上記主流路４ａに配されたペルチェユニット１７の放熱部２０は基板部２３の固着具用孔２４ａに挿通したビスのような固着具２５を主流路４ａの内面部に固着することで固定されている。なお基板部２３の他の固着具用孔２４ｂは放熱部２０を保持部材１３のフランジ部１４に固着するための固着具２５を挿通するための孔として利用されるものであり、これにより放熱部２０の基板部２３と保持部材１３とでペルチェユニット１７のユニット本体１８を挟持固定している。
【００２４】
そして本例では放熱部２０の上流側の対向位置に風の流れの抵抗となる抵抗体２６を設けることで、放熱部２０側に埃や粉塵が流れ込み難い構造としている。本例の抵抗体２６は多数の平行なスリット２７を形成して通気可能となった板状部２８で構成してあり、以下、具体的な構成につき説明する。
【００２５】
図１０等に示すように放熱部２０は主流路４ａの内面部における主吐出口３ａに対向する部位に設けた箱状のケース部３０内に収納されて外側が覆われており、上記抵抗体２６を構成する板状部２８はケース部３０のファン５から送られた空気の流れ方向に直交する側面部３０ａ（上記ケース部３０のフィン部２２ａの先端側に位置する側面部）からなり、即ち前記多数のスリット２７はケース部３０の側面部３０ａに形成されている。ケース部３０は上下両面が主流路４ａの内面部に一体に接続されている。またケース部３０の主吐出口３ａ側の側面は全部が開口して流出口３１を形成してあり、この流出口３１は主吐出口３ａに近接対向している。また本例ではケース部３０の流出口３１とは反対側の側面部３０ｂが副流路４ｂ内に位置しており、該側面部３０ｂにも多数の平行なスリット３２を形成している。
【００２６】
図１０の矢印ロに示す抵抗体２６のスリット２７の開口方向はフィン部２２ａと同じくファン５から送られてくる空気の流れ方向と略平行となっている。またスリット２７の矢印イに示す長手方向及びスリット３２の長手方向はフィン部２２ａと平行であり、また各スリット２７、３２の幅寸法はフィン部２２ａの厚みと略同じである。これらスリット２７、３２は基板部２３の固着具用孔２４ａ、２４ｂを設けたフィン部２２ａ間の部位に対応する部分を除いて、前述の一定ピッチＰ１で形成されたフィン部２２ａと同一ピッチＰ２で形成され、尚且つ全てのスリット２７、３２はフィン部２２ａ間の空間３３に対向する位置に設けてあり、隣合うフィン部２２ａ間の空間３３とスリット２７は投影面でフィン部２２ａと重複している。
【００２７】
また本体ケース１の主吐出口３ａが格子状に形成されている点は既述したが、図１５のように主吐出口３ａにおけるケース部３０の流出口３１に対向する部分である上下方向の中央部は他の部位よりも細かい目の格子状に形成してあり、これにより主吐出口３ａから高熱となる放熱部２０を収納したケース部３０内に手指等が入り難い構造としている。また主吐出口３ａの流出口３１に対向する部分は縦横に複数列並設した横に長いスリット状の開口部３４で構成されているが、上下（即ちフィン部２２ａに直交する方向）に並ぶ開口部３４の長手方向はフィン部２２ａと平行であり、また各開口部３４の幅寸法はフィン部２２ａの厚みと略同じである。これら開口部３４は基板部２３の固着具用孔２４ａ、２４ｂを設けたフィン部２２ａ間の部位に対応する部分を除いて、前述の一定ピッチＰ１で形成されたフィン部２２ａと同一ピッチＰ３で形成され、尚且つ全ての開口部３４はフィン部２２ａ間の空間３３に対向する位置に設けてあり、開口部３４とフィン部２２ａ間の空間３３は投影面で重複している。
【００２８】
しかして本体ケース１の上面に設けた操作部２９（図６参照）を操作して上記ファン５、静電霧化装置１０、集塵フィルタ７、を同時に運転することで、吐出口３から吸い込まれた空気がプレフィルタ８、脱臭フィルタ６、集塵フィルタ７を順に通過して清浄化され、この後ファン５を通過して主流路４ａ及び副流路４ｂに分岐し、主吐出口３ａ及び副吐出口３ｂの夫々から清浄化された空気が同時に吐出される。
【００２９】
この時、静電霧化装置１０の霧化部１１ａにおいてはペルチェユニット１７で結露水が生成されると共に該結露水を霧化してなる静電ミストが生成され、この静電ミストは対向電極１２の中央孔１２ａから出て副流路４ｂを流れる風に乗って副吐出口３ｂから吐出され、これにより副吐出口３ｂから吐出される空気に含まれる静電ミストが有する活性種の働きで、室内空気中の臭気成分の脱臭や室内壁面等に付着した臭気成分の脱臭を効果的に行え、また室内の除菌も効果的に行える。ここで霧化部１１ａは風量の少ない副流路４ｂに配してあるので、霧化されることとなる水を保持する霧化部１１ａが風量の多い送風に曝されることがなく、霧化部１１ａにおいて静電霧化を安定して生じさせることができる。
【００３０】
またこの時、主流路４ａ側に流れ込んだ空気はケース部３０の多数のスリット２７を通過してケース部３０内に流入し、この後、放熱フィン２２のフィン部２２ａ間の空間３３を通過し、ケース部３０の流出口３１を介して主吐出口３ａから吐出される。また前記スリット２７からケース部３０内に流入した空気の一部はスリット３２から副流路４ｂに流出する。そしてこのケース部３０内を通過するファン５から送られた空気により放熱フィン２２が冷却されるようになっている。
【００３１】
そして本発明にあってはこのような静電霧化装置１０を備えた空気調和機において、放熱部２０の上流側の対向位置にファン５から送られた風の流れの抵抗となる抵抗体２６を設けているので、集塵フィルタ７の性能が低下して放熱部２０側に送られた空気に埃や粉塵が含まれていたとしても、この埃や粉塵を抵抗体２６によりせき止めることができる。従って放熱部２０に埃や粉塵が堆積することを防止でき、これにより埃や粉塵の堆積に伴う放熱部２０の放熱効果の低下や放熱部２０における発煙や発火を防止できる。またファン５による送風は抵抗体２６を通過できるので、ファン５からの送風で放熱部２０を効率良く冷却できて放熱効率を向上できる。
【００３２】
また本例では抵抗体２６を複数のスリット２７を形成した板状部２８で構成したので、ファン５から送られた埃や粉塵を含む空気のうち、空気はスリット２７から放熱部２０側に通過させることができ、埃や粉塵は板状部２８のスリット２７を形成していない部位でせき止めることができ、この場合、ファン５からの空気をスリット２７を通過させて放熱部２０に直接当てることができるので、放熱フィン２２を一層冷却できる。また各スリット２７の開口方向及び放熱フィン２２のフィン部２２ａはファン５による空気の流れ方向と略平行であるので、ファン５からの空気を放熱フィン２２に通過させた際にはこの空気をフィン部２２ａの面全体に接触させることができ、放熱フィン２２をより一層冷却できる。また各スリット２７、３２の長手方向をフィン部２２ａと平行とし、各スリット２７を隣合うフィン部２２ａ間の空間３３に対向する位置に設けているので、各スリット２７を通過した空気はフィン部２２ａ間の空間３３にスムーズに流れ、またこの空気は各スリット３２を介して副流路４ｂにスムーズに流れることとなり、これにより放熱フィン２２をより一層冷却できる。
【００３３】
さらに本例では放熱フィン２２を吐出口３に対向する位置に配設し、吐出口３の放熱フィン２２に対向する部分をフィン部２２ａに直交する方向に並ぶ複数の開口部３４で構成し、これら複数の開口部３４を隣合うフィン部２２ａ間の空間３３に対向する位置に配設しているので、ファン５によりフィン部２２ａ間の空間３３に流れ込んだ空気はスムーズに吐出口３を構成する開口部３４を通過することとなり、これにより放熱フィン２２をより一層冷却できる。また放熱部２０は送風量の多い主流路４ａに配してあるので放熱フィン２２をより一層冷却できる。
【００３４】
なお本例の空気調和機は、図２に示すように副流路４ｂの下流側端部の静電霧化装置１０を挟んだ上下両側に副吐出口３ｂに対向する放電極３６ａと対向電極３６ｂを備えたイオン発生装置３６を設けてあり、イオン発生装置３６の放電極３６ａ及び対向電極３６ｂに電圧を印加することで、上記ファン５及び静電霧化装置１０の運転時に副流路４ｂを流れる風にのせて副吐出口３ｂからマイナスイオンを放出できるようになっているが、このイオン発生装置３６は設けなくても良い。
【００３５】
また本例の複数のスリット２７を形成した板状部２８からなる抵抗体２６はケース部３０の側面部３０ａで構成してあり、本体ケース１のケース部３０に一体に設けてあるが、図１６に示すように抵抗体２６は空気調和機に着脱自在に設けてあっても良い。図示例ではケース部３０の側面部３０ａの全部を開口させ、該開口縁にスリット２７を形成した板状部２８からなる抵抗体２６を着脱自在に取付けている。このように抵抗体２６を着脱自在とすることで、抵抗体２６に埃や粉塵が付着した際には抵抗体２６を取り外して容易に洗浄でき、これにより抵抗体２６に埃や粉塵が堆積して圧力損失が上昇して、これに伴い放熱部２０を通過する風量が低下して放熱部２０の放熱効率が低下することを容易に防止できる。
【図面の簡単な説明】
【００３６】
【図１】本発明の実施の形態の一例を示し、図は空気調和機の水平断面図である。
【図２】同上の正面図である。
【図３】同上の背面図である。
【図４】同上の主吐出口側の側面図である。
【図５】同上の吸気口側の側面図である。
【図６】同上の平面図である。
【図７】同上のケース部及び静電霧化装置の図示を省略した水平断面図である。
【図８】同上の静電霧化装置の断面図である。
【図９】同上の静電霧化装置の斜視図である。
【図１０】同上の空気調和機の本体ケースの主吐出口側の側面カバーを取り外した状態を示す斜視図である。
【図１１】同上の要部拡大図である。
【図１２】同上とは異なる角度から見た斜視図である。
【図１３】同上の側面図である。
【図１４】同上のケース部及びケース部に一体に設けた主流路の内面部を取り外した状態を示す側面図である。
【図１５】同上の主吐出口部における放熱部に対向する部位を拡大した側面図である。
【図１６】抵抗体を着脱自在とした他例の空気調和機を示す要部拡大斜視図である。
【符号の説明】
【００３７】
２  吸気口
３  吐出口
３ａ  主吐出口
３ｂ  副吐出口
４  風路
４ａ  主流路
４ｂ  副流路
５  ファン
７  集塵フィルタ
１０  静電霧化装置
１１ａ  霧化部
１７  ペルチェユニット
１９  吸熱部
２０  放熱部
２２  放熱フィン
２２ａ  フィン部
２６  抵抗体
２８  板状部
３０  フィン部間の空間
３４  開口部
【図１】
0004778276.tif 000002
【図２】
0004778276.tif 000003
【図３】
0004778276.tif 000004
【図４】
0004778276.tif 000005
【図５】
0004778276.tif 000006
【図６】
0004778276.tif 000007
【図７】
0004778276.tif 000008
【図８】
0004778276.tif 000009
【図９】
0004778276.tif 000010
【図１０】
0004778276.tif 000011
【図１１】
0004778276.tif 000012
【図１２】
0004778276.tif 000013
【図１３】
0004778276.tif 000014
【図１４】
0004778276.tif 000015
【図１５】
0004778276.tif 000016
【図１６】
0004778276.tif 000017